(57)【要約】【課題】  搬送波の中心周波数が同一のアナログ信号及びディジタル信号が混在する送信信号を受信する際、ディジタル信号の受信判定を良好に行え、しかもアナログ信号受信の際のＳ／Ｎ比が低下することがないようにする。【解決手段】  搬ディジタル信号は周波数軸上においてアナログ信号よりも周波数が高い側に位置する上側ディジタル信号とアナログ信号よりも周波数か低い側に位置する下側ディジタル信号とを有しており、ＢＰＦ１５はアナログ信号の通過を許し、ＢＰＦ１６はアナログ信号及びディジタル信号の通過を許す。ＢＰＦ１８及び１９はＢＰＦ１６の出力を受けてそれぞれ上側ディジタル信号と下側ディジタル信号とを出力する。ディジタル受信判別装置２０及び選択ＳＷ１７は上側ディジタル信号及び下側ディジタル信号の受信レベルに応じてＢＰＦ１５及び１６の出力のいずれか一方を選択制御して選択信号として出力する。そして、この選択信号が復調される。【選択図】        図２
2005333572.tif 000002
【特許請求の範囲】
【請求項１】
搬送波の中心周波数が同一のアナログ信号及びディジタル信号が混在する送信信号を受け、前記ディジタル信号は周波数軸上において前記アナログ信号よりも周波数が高い側に位置する上側ディジタル信号と前記アナログ信号よりも周波数が低い側に位置する下側ディジタル信号とを有しており、前記アナログ信号及び前記ディジタル信号を選択的に復調する復調手段を備える受信機において、
前記アナログ信号の通過を許す第１のフィルタ手段と、
前記アナログ信号及び前記ディジタル信号の通過を許す第２のフィルタ手段と、
前記第２のフィルタ手段の出力を受けて前記上側ディジタル信号と前記下側ディジタル信号とを出力する第３のフィルタ手段と、
前記第１及び前記第２のフィルタ手段の出力のいずれか一方を選択する選択手段と、
前記上側ディジタル信号及び前記下側ディジタル信号の受信レベルに応じて前記選択手段を制御して前記第１及び前記第２のフィルタ手段の出力を選択的に前記復調手段に与える選択制御手段とを有することを特徴とする受信機。
【請求項２】
選択制御手段は上側ディジタル信号及び下側ディジタル信号の受信レベルが予め規定されたレベル以上であって、前記上側ディジタル信号及び前記下側ディジタル信号の受信レベル差が予め定められた閾値以下であると、選択手段を制御して第２のフィルタ手段の出力を選択信号として復調手段に与えるようにしたことを特徴とする請求項１記載の受信機。
【請求項３】
復調手段には、アナログ信号を復調した第１の復調信号を得る第１の復調部と、ディジタル信号を復調した第２の復調信号を得る第２の復調部とが備えられていることを特徴とする請求項１又は請求項２記載の受信機。
【請求項４】
ディジタル信号の品質を検出する品質検出手段と、
第１及び第２の復調信号を切り替える切り替え手段とが備えられ、
選択制御手段は前記品質検出手段の値が所定の閾値以上であるときは、前記切り替え手段を制御して前記第２の復調信号を出力するようにしたことを特徴とする請求項３記載の受信機。
【請求項５】
選択制御手段は上側ディジタル信号及び下側ディジタル信号の受信レベルが予め規定されたレベル未満となるか又は前記上側ディジタル信号及び前記下側ディジタル信号の受信レベル差が予め定められた閾値を越えているときは、品質検出手段の検出値が所定の閾値未満であると第１のフィルタ手段の出力を復調手段に与えるとともに、切り替え手段を制御して第１の復調信号を出力するようにしたことを特徴とする請求項４記載の受信機。
【発明の詳細な説明】
【技術分野】
【０００１】
この発明は、同一の中心周波数においてアナログ信号とディジタル信号とが同時に伝送される伝送方式に用いられる受信機に関し、特に、アナログ信号とディジタル信号を選択的に受信する受信機に関するものである。
【背景技術】
【０００２】
一般に、同一の中心周波数でアナログ信号とディジタル信号とが同時に伝送される伝送方式において、アナログ信号とディジタル信号とを選択的に受信する受信機が知られており、例えば、アナログ放送とディジタル放送とを同一の放送局から同時に放送する放送方式として、米国のｉＢｉｑｕｉｔｙによって提案されているＩＢＯＣ（Ｉｎ  Ｂａｎｄ  Ｏｎ  Ｃｈａｎｎｅｌ）システムと呼ばれる放送方式がある。
【０００３】
このＩＢＯＣシステムでは、ディジタル放送はアナログ放送の間のチャンネルで放送され、ＩＢＯＣシステムにおけるディジタル放送ではマルチキャリア伝送方式が用いられており、この際、隣接するアナログ放送に影響を与えないようにするため、ディジタル放送はアナログ放送に比べて低い送信電力で送信される。
【０００４】
一方、アナログ放送及びディジタル放送を選択的に受信可能な受信機においては、例えば、フェージング又は妨害波等によってディジタル放送波の受信状態が悪化して受信不能となると、アナログ放送を受信する受信切り替えを行っており、アナログ放送受信の際、ディジタル放送が受信可能となると、ディジタル放送への受信切り替えを行っている。
【０００５】
ところで、上述のように、アナログ放送の送信電力がディジタル放送の送信電力よりも大きいため、放送局からの送信波から生成された中間周波信号（ＩＦ信号）においては、所定の周波数範囲に振幅が大きなアナログ信号と振幅が小さなディジタル信号とが混在することになり、上述のようなディジタル放送及びアナログ放送を選択的に受信可能な受信機においては、ＩＦ信号からアナログ信号とディジタル信号とを分離する必要がある。
【０００６】
このため、例えば、一対のバンドパスフィルタを用いて、一方のバンドパスフィルタによってＩＦ信号の中心周波数近傍に分布するアナログ放送に係る信号のみを抽出し、他方のバンドパスフィルタによってＩＦ信号からその中心周波数近傍に分布するアナログ放送に係る信号を除去し、ディジタル放送に係る信号のみを抽出して、これら信号を選択的に出力するようにしている。
【０００７】
さらに、バンドエリミネートフィルタ（ＢＥＦ）で主にアナログ放送の信号成分のみを減衰させた後、アナログディジタル変換器（ＡＤＣ）に与えて、ＡＤＣが出力するアナログ放送の信号及び／又はディジタル放送の信号をディジタル復調器でディジタル復調するようにしたものがあり、ここでは、ＢＥＦからの出力に応じてＡＧＣ（自動利得制御）電圧生成部が、ＢＥＦ前段のＩＦ増幅回路の利得を制御するようにして、ＩＦ増幅回路における利得を大きくして、相対的にディジタル放送の信号レベルを増加するようにしている（例えば、特許文献１参照）。
【０００８】
【特許文献１】特開２００２−３５９５６９号公報（第４頁〜第５頁、第１図〜第６図）
【発明の開示】
【発明が解決しようとする課題】
【０００９】
従来の受信機は以上のように構成されているので、つまり、ＢＥＦでアナログ放送の信号成分のみを減衰するようにしているので、ディジタル放送の受信が行いやすくなり、アナログ放送波の両側（周波数の高い側及び低い側）にディジタル放送波が位置する際には、両側のディジタル放送波を総合してレベル判定を行っており、このため、一方側のディジタル放送波にマルチパス等が生じて、ディジタル放送波の受信が悪化しても、両側のディジタル放送波を総合してレベル判定を行っている関係上、ディジタル放送が受信可能と判定してしまうという課題があった。
【００１０】
加えて、アナログ放送を受信の際には、前述のように、ＢＥＦによってアナログ放送の信号成分のみを減衰しているから、アナログ放送の信号成分レベルが低下してしまい、信号対雑音（Ｓ／Ｎ）比が低下してしまうという課題があった。
【００１１】
この発明は上記のような課題を解決するためになされたもので、ディジタル信号の受信判定を良好に行え、しかもアナログ信号受信の際のＳ／Ｎ比が低下することのない受信機を得ることを目的とする。
【課題を解決するための手段】
【００１２】
この発明に係る受信機は、搬送波の中心周波数が同一のアナログ信号及びディジタル信号が混在する送信信号を受け、ディジタル信号が周波数軸上においてアナログ信号よりも周波数が高い側に位置する上側ディジタル信号とアナログ信号よりも周波数が低い側に位置する下側ディジタル信号とを有し、前記アナログ信号及びディジタル信号を選択的に復調する復調手段を備えており、アナログ信号の通過を許す第１のフィルタ手段と、アナログ信号及びディジタル信号の通過を許す第２のフィルタ手段と、第２のフィルタ手段の出力を受けて上側ディジタル信号と下側ディジタル信号とを出力する第３のフィルタ手段と、第１及び第２のフィルタ手段の出力のいずれか一方を選択する選択手段と、上側ディジタル信号及び下側ディジタル信号の受信レベルに応じて選択手段を制御して第１及び第２のフィルタ手段の出力を選択的に復調手段に与える選択制御手段とを有することを特徴とするものである。
【発明の効果】
【００１３】
この発明によれば、アナログ信号のみを抽出するとともに、上側ディジタル信号及び下側ディジタル信号を分離して、上側ディジタル信号及び下側ディジタル信号の受信レベルに応じて第１及び第２のフィルタ手段の出力を選択的に復調手段に与えるように構成したので、ディジタル信号の受信判定を良好に行え、しかもアナログ信号を減衰させていないから、アナログ信号受信の際のＳ／Ｎ比が低下することがないという効果がある。
【発明を実施するための最良の形態】
【００１４】
実施の形態１．
まず、図１を参照して、ここでは、アナログ放送とディジタル放送とを同時に放送するシステムとして、ＩＢＯＣシステムを例に挙げて説明する。図１はＩＢＯＣシステムにおける送信時の電力スペクトル分布を示す図であり、図１において横軸は周波数、縦軸は放送波における電力スペクトラムの強度（レベル）を表す。
【００１５】
なお、横軸はアナログ放送（例えば、ＦＭオーディオ放送）の中心周波数を０として、この中心周波数からのずれを示している。そして、ディジタル放送波はアナログ放送波の間を利用して送信され、ディジタル放送波の中心周波数はアナログ放送波の中心周波数と同一であり、ディジタル放送波の電力スペクトラムはアナログ放送波の電力スペクトラムの外側に分布する。
【００１６】
アナログ放送とディジタル放送が同時に行われる際には、放送局においては同一のアンテナで放送波が送信され、受信機においては、同一のアンテナで放送波が受信される。このため、ディジタル放送波及びアナログ放送波の電力スペクトラム強度は、所定の比率で放送され、受信の際にも同一の比率を有するものとなる。ＩＢＯＣシステムにおいては、アナログ放送波とディジタル放送波を同一の中心周波数で同時に放送しても、互いに電力スペクトラムが重ならないようにして互いの干渉を防いでいる。
【００１７】
図２を参照すると、図２はこの発明の実施の形態１による受信機の一例を示すブロック図であり、以下の説明においてはアナログ放送波がＦＭ又はＡＭ放送であり、ディジタル放送がＤＡＢオーディオ放送である場合を例にして説明する。また、ＤＡＢシステムにおいては、その変調方式としてＯＦＤＭ（直交周波数分割多重方式：Ｏｒｔｈｏｇｏｎａｌ  Ｆｒｅｑｕｅｎｃｙ  Ｄｉｖｉｓｉｏｎ  Ｍｕｌｔｉｐｌｅｘ）が用いられているものとする。
【００１８】
受信機１０は、自動利得制御（ＡＧＣ）回路１１、高周波増幅器（ＲＦＡｍｐ）１２、混合器（Ｍｉｘｅｒ）１３、及び中間周波変成器（ＩＦＴ）１４を備えており、アンテナ１１ａを介して受信された放送波はＡＧＣ回路１１からＲＦＡｍｐ１２に与えられる。ＲＦＡｍｐ１２で増幅された高周波信号は、Ｍｉｘｅｒ１３に与えられて、Ｍｉｘｅｒ１３から中間周波信号（ＩＦ信号）が出力される。そして、ＡＧＣ回路１１ではＩＦ信号に基づいてＡＧＣを行うことになる。
【００１９】
図示の受信機１０は狭帯域バンドパスフィルタ（ｎａｒｒｏｗ  ＢＰＦ）１５及び広帯域バンドパスフィルタ（ｗｉｄｅ  ＢＰＦ）１６を備えており、ＩＦ信号がＩＦＴ１４を介してＢＰＦ１５及び１６に与えられる。ＢＰＦ１５はアナログ放送波に対応する信号（以下アナログ信号と呼ぶ）の通過を許し、ＢＰＦ１６はアナログ信号及びディジタル放送波に対応する信号（以下ディジタル信号と呼ぶ）の通過を許す。
【００２０】
つまり、図３（ａ）で示すＩＦ信号がＢＰＦ１５に与えられたとすると、ＢＰＦ１５はディジタル信号を減衰して、図３（ｂ）に示すようにアナログ信号を出力することになる。なお、以下の説明では、ＢＰＦ１６から出力される信号を複合信号と呼ぶことにする。
【００２１】
ＢＰＦ１５からの出力（つまり、アナログ信号）及びＢＰＦ１６からの出力（つまり、複合信号）は選択スイッチ部（選択ＳＷ）１７に与えられ、さらに、複合信号は第１及び第２のＢＰＦ１８及び１９に与えられる。図４（ａ）に示すように、第１のＢＰＦ１８はアナログ信号よりも高い周波数側に位置するディジタル信号に対応しており（以下このディジタル信号を上側（ｕｐｐｅｒ  ｓｉｄｅ）ディジタル信号と呼ぶ）、第２のＢＰＦ１９はアナログ信号よりも低い周波数側に位置するディジタル信号に対応している（以下このディジタル信号を下側（ｌｏｗｅｒ  ｓｉｄｅ）ディジタル信号と呼ぶ）。
【００２２】
その結果、第１のＢＰＦ１８においては、複合信号中の上側ディジタル信号のみの通過を許し、第２のＢＰＦ１９においては、複合信号中の下側ディジタル信号のみの通過を許すことになって、図４（ｂ）に示すように、第１及び第２のＢＰＦ１８及び１９からはそれぞれ上側ディジタル信号及び下側ディジタル信号が出力されることになる。
【００２３】
上側ディジタル信号及び下側ディジタル信号はディジタル受信判別装置２０に与えられ、ディジタル受信判別装置２０では、後述するようにして、上側ディジタル信号及び下側ディジタル信号の受信レベルを判別して、判別結果を得て、この判別結果に基づいて選択ＳＷ１７を切り換え制御する。これによって、アナログ信号及び複合信号のいずれか一方が中間周波自動利得制御増幅器（ＩＦ  ＡＧＣ  Ａｍｐ）２１に選択信号として与えられる。なお、この選択信号を破線矢印で示すように、ＡＧＣ回路１１に与え、ＡＧＣ回路１１では選択信号に応じてＡＧＣを行うようにしてもよい。
【００２４】
ＩＦ  ＡＧＣ  Ａｍｐ２１から出力された増幅信号は、アナログ信号受信処理部２２に与えられる。アナログ信号受信処理部２２には、アナログ／ディジタル（Ａ／Ｄ）変換器２２ａ、ＡＭ／ＦＭ復調器２２ｂ、及びＡ／Ｄ切り替え部２２ｃが備えられており、Ａ／Ｄ変換器２２ａによって選択信号はディジタル化（量子化）されて量子化信号とされる。そして、この量子化信号はＡＭ／ＦＭ復調器２２ｂに与えられるとともに、ディジタル信号受信処理部２３に与えられる。
【００２５】
ＡＭ／ＦＭ復調器２２ｂでは量子化信号をＡＭ／ＦＭ復調して第１の復調信号（第１のオーディオ信号）としてＡ／Ｄ切り替え部２２ｃに与えている。ディジタル信号受信処理部２３にはＩＱ復調部２３ａ、ＦＦＴ部２３ｂ、ＯＦＤＭ復調部２３ｃ、デインターリーブ誤り訂正部２３ｄ、及びオーディオデコード部２３ｅを有しており、ＩＱ復調部２３ａでは量子化信号を受けてＩ信号とＱ信号とを生成する。
【００２６】
そして、これらＩ信号及びＱ信号はＦＦＴ部２３ｂで高速フーリエ変換された後、ＯＦＤＭ復調部に与えられて、ここでＯＦＤＭ復調され、さらに、デインターリーブ誤り訂正部２３ｄでデインターリーブ及び誤り符号の検出・訂正等が行われる。そして、デインターリーブ誤り訂正部２３ｄの出力（誤り訂正済み出力）はオーディオデコーダ２３ｅでデコードされて第２の復号信号（第２のオーディオ信号）としてＡ／Ｄ切り替え部２２ｃに出力される。
【００２７】
一方、オーディオデコーダ２３ｅでは、誤り訂正済み出力に応じてオーディオ出力可否信号を生成する。つまり、オーディオデコーダ２３ｅはデインターリーブ誤り訂正部２３ｄで誤り訂正不可能であるとされると、第２のオーディオ信号の出力を不可とし、誤り訂正可能であると、第２のオーディオ信号の出力を可とすることになり、その結果をオーディオ出力可否信号として出力することになる。そして、このオーディオ出力可否信号はオーディオ出力選択判定装置２４に与えられる。
【００２８】
さらに、オーディオデコーダ２３ｅでは誤り訂正済み出力に応じて第２のオーディオ信号の品質を示すオーディオ品質値を生成する。例えば、オーディオデコーダ２３ｅには第２のオーディオ信号の品質を規定する品質レベル値が設定されており、この品質レベル値と誤り訂正済み出力とを対応付けて第２のオーディオ信号の品質を決定してオーディオ品質値として出力する。そして、このオーディオ品質値は前述のディジタル受信判別装置２０に与えられる。
【００２９】
ディジタル受信判別装置２０ではオーディオ品質値に応じて切り替え可否を示すオーディオ制御信号を生成し、このオーディオ制御信号をオーディオ出力選択判定装置２４に与える。そして、オーディオ出力選択判定装置２４では前述のオーディオ出力可否信号とオーディオ選択信号とに基づいてオーディオ出力選択信号を生成し、Ａ／Ｄ切り替え部２２ｃにオーディオ出力選択信号を与える。
【００３０】
具体的には、ディジタル受信判別装置２０では、オーディオ品質値が予め設定された品質閾値を満たしていると、切り替え可を示すオーディオ制御信号を出力し、オーディオ品質値が品質閾値を満たしていないと、切り替え不可を示すオーディオ制御信号を出力する。
【００３１】
オーディオ出力選択判定装置２４は、オーディオ出力可否信号が出力否を表していると、Ａ／Ｄ切り替え部２２ｃに第１のオーディオ信号を選択する旨のオーディオ出力選択信号を与える。この際には、つまり、誤り訂正不可能である際には、オーディオ品質値は予め設定された品質閾値未満となって、ディジタル受信判別装置２０は選択ＳＷ１７を制御してＢＰＦ１５の出力を選択することになる。
【００３２】
オーディオ出力選択判定装置２４は、オーディオ出力可否信号が出力可を表していると、次に、オーディオ制御信号が切り替え可を示しているか否かを判定して、切り替え可を示していると、Ａ／Ｄ切り替え部２２ｃに第２のオーディオ信号を選択する旨のオーディオ出力選択信号を与える。
【００３３】
一方、オーディオ出力可否信号が出力否を表していると、オーディオ出力選択判定装置２４は、Ａ／Ｄ切り替え部２２ｃに第１のオーディオ信号を選択する旨のオーディオ出力選択信号を与える。この際には、オーディオ品質値は予め設定された品質閾値未満となっているから、ディジタル受信判別装置２０は選択ＳＷ１７を制御してＢＰＦ１５の出力を選択することになる。
【００３４】
このように、Ａ／Ｄ切り替え部２２ｃではオーディオ出力選択信号に応答して第１及び第２のオーディオ信号のいずか一方に切り替えて、出力オーディオ信号として出力する。そして、この出力オーディオ信号はディジタル／アナログ（Ｄ／Ａ）変換器２５でＤ／Ａ変換されて、オーディオ出力としてスピーカー（図示せず）に送られる。
【００３５】
次に動作について説明する。
図１及び図５を参照して、いま、受信機１０の電源スイッチがオンされて、ユーザ所望の放送局が選択されたとする。なお、図示の受信機１０はディジタル放送波を優先的に選択して出力するものとする。
【００３６】
ディジタル受信判別装置２０では、まずアナログ放送波を選択中（受信中）であるか否かを判定する（ステップＳＴ１）。ディジタル受信判別装置２０では、アナログ放送波を受信中であると判定すると（つまり、選択ＳＷ１７がＢＰＦ１５を選択していると）、上側ディジタル信号及び下側ディジタル信号の受信レベルがそれぞれ予め規定された受信レベル以上であるか否かを判定する（ディジタルレベルあり：ステップＳＴ２）。
【００３７】
そして、上側ディジタル信号及び下側ディジタル信号の受信レベルがそれぞれ予め規定された受信レベル以上であると、次にディジタル受信判別装置２０では上側ディジタル信号と下側ディジタル信号とのレベル差（出力差）が所定の閾値以下であるか否かを判定する（出力差閾値以下：ステップＳＴ３）。
【００３８】
上側ディジタル信号と下側ディジタル信号とのレベル差が所定の閾値以下であると、ディジタル受信判別装置２０では、ディジタル放送波の受信可であると判定して、選択ＳＷ１７を切り替え制御して、ＢＰＦ１６の出力（つまり、複合信号）を選択信号としてＩＦ  ＡＧＣ  Ａｍｐ２１に与える（ディジタル切り替え：ステップＳＴ４）。
【００３９】
その後、ディジタル受信判別装置２０では、内蔵タイマー（図示せず）に所定の時間をセットして（タイマーセット：ステップＳＴ５）、待機状態となる（終了）。つまり、ディジタル受信判別装置２０では内蔵タイマーにセットされる時間毎にアナログ放送波又はディジタル放送波のいずれが選択されているかを判定して処理を行うことになる。
【００４０】
一方、ステップＳＴ１においてアナログ受信中でないと、図５に示す”Ａ”に進み、ステップＳＴ２において、上側ディジタル信号及び下側ディジタル信号の受信レベルがそれぞれ予め規定された受信レベル未満であると、ディジタル受信判別装置２０はアナログ放送波の選択を継続し（アナログ保持：ステップＳＴ６）、タイマーセットを行って（ステップＳＴ７）、待機状態となる。
【００４１】
同様にして、ステップＳＴ３において、上側ディジタル信号と下側ディジタル信号とのレベル差が所定の閾値を越えると、ディジタル受信判別装置２０はステップＳＴ６に進み、アナログ放送波の受信を継続することになる。
【００４２】
図６を参照すると、前述の図５に示すステップＳＴ１でアナログ受信中でないと判定すると、ディジタル受信判別装置２０では、ディジタル放送波を選択中（受信中）であると判断して、ディジタル受信判別装置２０は上側ディジタル信号及び下側ディジタル信号の受信レベルがそれぞれ予め規定された受信レベル以上であるか否かを判定する（ディジタルレベルあり：ステップＳＴ８）。
【００４３】
そして、上側ディジタル信号及び下側ディジタル信号の受信レベルがそれぞれ予め規定された受信レベル以上であると、次にディジタル受信判別装置２０は上側ディジタル信号と下側ディジタル信号とのレベル差が所定の閾値以下であるか否かを判定する（出力差閾値以下：ステップＳＴ９）。
【００４４】
そして、上側ディジタル信号と下側ディジタル信号とのレベル差が所定の閾値以下であると、ディジタル受信判別装置２０では、オーディオ品質値が所定の品質閾値以上であるか否かを判定し（ステップＳＴ１０）、オーディオ品質値が所定の品質閾値以上であると、ディジタル受信判別装置２０は、切り替え可を示すオーディオ制御信号を出力することになって、オーディオデコーダ２３ｅからのオーディオ出力可否信号が可を示していると、オーディオ出力選択判定装置２４からオーディオ出力選択信号によってＡ／Ｄ切り替え部２２ｃが第２のオーディオ信号を選択する状態を継続する（ディジタル保持：ステップＳＴ１１）。
【００４５】
その後、ディジタル受信判別装置２０では内蔵タイマーに所定の時間をセットして（タイマーセット：ステップＳＴ１２）、待機状態となる（終了）。一方、ステップＳＴ８においてディジタルレベルがないと、ディジタル受信判別装置２０では、オーディオ品質値が所定の閾値以下であるか否かを判定する（ステップＳＴ１３）。
【００４６】
オーディオ品質値が所定の閾値以下であると、ディジタル受信判別装置２０は選択ＳＷ１７を切り替え制御して、ＢＰＦ１５の出力（つまり、アナログ信号）を選択するとともに、オーディオ制御信号を出力して、オーディオ出力選択判定装置２４によってＡ／Ｄ切り替え部２２ｃが第１のオーディオ信号を選択する状態とする（アナログ切り替え：ステップＳＴ１４）。そして、ディジタル受信判別装置２０はタイマーセットを行って（ステップＳＴ１５）、待機状態となる。
【００４７】
同様にして、ステップＳＴ９において、上側ディジタル信号と下側ディジタル信号とのレベル差が所定の閾値を越えると、ディジタル受信判別装置２０はステップＳＴ１３に進む。また、ステップＳＴ１０において、オーディオ品質値が所定の閾値未満であると、ディジタル受信判別装置２０は待機状態となり、同様に、ステップＳＴ１３において、オーディオ品質値が所定の閾値を越えると、ディジタル受信判別装置２０は待機状態となる。
【００４８】
なお、上述の説明から明らかなように、ＢＰＦ１５が第１のフィルタ手段として機能し、ＢＰＦ１６が第２のフィルタ手段として機能する。また、ＢＰＦ１８及び１９が第３のフィルタ手段として機能し、ディジタル受信判別装置２０及び選択ＳＷ１７がそれぞれ選択制御手段及び選択手段として機能することになる。
【００４９】
加えて、ＡＭ／ＦＭ復調器２２ｂが第１の復調部として機能し、ＩＱ復調部２３ａ、ＦＦＴ部２３ｂ、ＯＦＤＭ復調部２３ｃ、デインターリーブ誤り訂正部２３ｄ、及びオーディオデコーダ２３ｅが第２の復調部として機能する。さらに、デインターリーブ誤り訂正部２３ｄ及びオーディオデコーダ２３ｅが品質検出手段として機能し、オーディオ出力選択判定装置２４及びＡ／Ｄ切り替え部２２ｃが切り替え手段として機能することになる。
【００５０】
以上のように、この実施の形態１によれば、ＢＰＦ１５によってアナログ信号のみを抽出するとともに、ＢＰＦ１６によってアナログ信号及びディジタル信号を抽出して、さらに、第１及び第２のＢＰＦ１８及び１９によってＢＰＦ１６の出力を受けてそれぞれ上側ディジタル信号と下側ディジタル信号とを抽出し、上側ディジタル信号及び下側ディジタル信号の受信レベルに応じてＢＰＦ１５及び１６の出力のいずれか一方を選択信号として選択して、この選択信号を復調するように構成したので、ディジタル信号の受信判定を良好に行うことができるばかりでなく、アナログ信号を減衰させていないから、アナログ信号受信の際のＳ／Ｎ比が低下することがないという効果がある。
【００５１】
この実施の形態１によれば、上側ディジタル信号及び下側ディジタル信号の受信レベルが予め規定されたレベル以上であって、上側ディジタル信号及び下側ディジタル信号の受信レベル差が予め定められた閾値以下であると、ＢＰＦ１６の出力を選択信号として復調するように構成したので、精度よくディジタル信号の受信判定を行うことができるという効果がある。
【００５２】
この実施の形態１によれば、アナログ信号を復調して第１の復調信号とする第１の復調部と、ディジタル信号を復調して第２の復調信号とする第２の復調部とを備えて、ディジタル信号の品質を検出してその品質を表す品質値を出力して、品質値が所定の閾値以上である際第２の復調信号を出力するように構成したので、良好な品質のディジタル信号のみを復調して出力できるという効果がある。
【００５３】
この実施の形態１によれば、上側ディジタル信号及び下側ディジタル信号の受信レベルが予め規定されたレベル未満となるか又は上側ディジタル信号及び下側ディジタル信号の受信レベル差が予め定められた閾値を越えている際、品質値が所定の閾値未満であるとＢＰＦ１５の出力を選択信号とするとともに、第１の復調信号を出力するように構成したので、アナログ信号の選択を的確に行えるという効果がある。
【図面の簡単な説明】
【００５４】
【図１】この発明の実施の形態１による受信機で受信される放送波の一例を示す図である。
【図２】この発明の実施の形態１による受信機の構成の一例を概略的に示すブロック図である。
【図３】図１に示す受信機で用いられる狭帯域バンドパスフィルタの機能を説明するための図であり、（ａ）は狭帯域バンドパスフィルタに入力される信号波を示す図、（ｂ）は狭帯域バンドパスフィルタに出力される信号波を示す図である。
【図４】図１に示す受信機で用いられる第１及び第２のバンドパスフィルタの機能を説明するための図であり、（ａ）は第１及び第２のバンドパスフィルタに入力される信号波を示す図、（ｂ）は第１及び第２のバンドパスフィルタの各々から出力される信号波を示す図である。
【図５】図１に示す受信機におけるアナログ信号及びディジタル信号の受信選択動作を説明するためのフローチャートである。
【図６】図１に示す受信機におけるアナログ信号及びディジタル信号の受信選択動作を説明するためのフローチャートである。
【符号の説明】
【００５５】
１０  受信機、１１  自動利得制御（ＡＧＣ）回路、１１ａ  アンテナ、１２  高周波増幅器（ＲＦＡｍｐ）、１３  混合器（Ｍｉｘｅｒ）、１４  中間周波変成器（ＩＦＴ）、１５  狭帯域バンドパスフィルタ（ｎａｒｒｏｗ  ＢＰＦ）、１６  広帯域バンドパスフィルタ（ｗｉｄｅ  ＢＰＦ）、１７  選択スイッチ部（選択ＳＷ）、１８  第１のバンドパスフィルタ（ＢＰＦ）、１９  第２のバンドパスフィルタ（ＢＰＦ）、２０  ディジタル受信判別装置、２１  中間周波自動利得制御増幅器（ＩＦ  ＡＧＣ  Ａｍｐ）、２２  アナログ信号受信処理部、２２ａ  アナログ／ディジタル（Ａ／Ｄ）変換器、２２ｂ  ＡＭ／ＦＭ復調器、２２ｃ  Ａ／Ｄ切り替え部、２３  ディジタル信号受信処理部、２３ａ  ＩＱ復調部、２３ｂ  ＦＦＴ部、２３ｃ  ＯＦＤＭ復調部、２３ｄ  デインターリーブ誤り訂正部、２３ｅ  オーディオデコード部、２４  オーディオ出力選択判定装置、２５  ディジタル／アナログ（Ｄ／Ａ）変換器。
【図１】
2005333572.tif 000003
【図２】
2005333572.tif 000004
【図３】
2005333572.tif 000005
【図４】
2005333572.tif 000006
【図５】
2005333572.tif 000007
【図６】
2005333572.tif 000008